(57)【要約】【課題】循環冷媒流量が低流量になっても充分なサイクル効率向上効果を得ることができるエジェクタ式冷凍サイクルを提供する。【解決手段】エジェクタ１５のノズル部１５ａ上流側で冷媒の流れを分岐させるエジェクタ式冷凍サイクルの圧縮機１１として密閉型圧縮機を採用し、冷媒としてＨＣ系冷媒を採用し、さらに、圧縮機１１を潤滑する冷凍機油として液相冷媒に溶解性を有するものを採用する。これにより、エジェクタ１５の冷媒吸引口１５ｄに接続される第２蒸発器２０に冷凍機油が滞留することを防止することができるので、サイクルを循環する循環冷媒流量が低流量になっても、充分なサイクル効率向上効果を得ることができる。【選択図】図１
2008075926.tif 000002
【特許請求の範囲】
【請求項１】
冷媒を圧縮して吐出する圧縮機（１１）と、
前記圧縮機（１１）から吐出された高圧冷媒を放熱させる放熱器（１２）と、
前記放熱器（１２）出口側冷媒の流れを分岐する分岐部（Ｚ）と、
前記分岐部（Ｚ）で分岐された一方の冷媒を減圧膨張させるノズル部（１５ａ）から噴射する高速度の冷媒流によって、冷媒を冷媒吸引口（１５ｄ）から吸引し、前記高速度の冷媒流と前記冷媒吸引口（１５ｄ）からの吸引冷媒とを混合してディフューザ部（１５ｆ）で昇圧させるエジェクタ（１５）と、
前記分岐部（Ｚ）で分岐された他方の冷媒を減圧膨張させる絞り手段（１９）と、
前記絞り手段（１９）下流側の低圧冷媒を蒸発させて、前記冷媒吸引口（１５ｄ）上流側に流出する蒸発器（２０）とを備え、
前記圧縮機（１１）を潤滑する冷凍機油として、液相冷媒に対して溶解性を有するオイルが採用されていることを特徴とするエジェクタ式冷凍サイクル。
【請求項２】
前記圧縮機は密閉式圧縮機（１１）であることを特徴とする請求項１に記載のエジェクタ式冷凍サイクル。
【請求項３】
前記冷媒は、ＨＣ系冷媒であることを特徴とする請求項１または２に記載のエジェクタ式冷凍サイクル。
【請求項４】
前記ノズル部（１５ａ）は、冷媒を噴射する冷媒噴射口（１５ｃ）を有し、
前記ノズル部（１５ａ）の外周には、前記冷媒吸引口（１５ｄ）から吸引された冷媒が通過する吸引冷媒通路（１５ｇ）が設けられており、
前記吸引冷媒通路（１５ｇ）の冷媒通路面積（Ａｓｕｃ）は、前記冷媒噴射口（１５ｃ）の冷媒通路面積（Ａｎｏｚ）よりも大きいことを特徴とする請求項１ないし３のいずれか１つに記載のエジェクタ式冷凍サイクル。
【請求項５】
前記冷媒噴射口（１５ｃ）の冷媒通路面積（Ａｎｏｚ）と前記吸引冷媒通路（１５ｇ）の冷媒通路面積（Ａｓｕｃ）との面積比（Ａｓｕｃ／Ａｎｏｚ）は、
３≦Ａｓｕｃ／Ａｎｏｚ≦１０
になっていることを特徴とする請求項４に記載のエジェクタ式冷凍サイクル。
【発明の詳細な説明】
【技術分野】
【０００１】
本発明は、エジェクタを有するエジェクタ式冷凍サイクルに関する。
【背景技術】
【０００２】
従来、特許文献１に、エジェクタ１５の下流側に気液分離器をなすアキュムレータ２２を接続し、アキュムレータ２２の気相冷媒出口を圧縮機１１吸入口へ接続するとともに液相冷媒出口を蒸発器２０入口へ接続し、さらに、蒸発器２０出口をエジェクタ１５の冷媒吸引口１５ｄに接続した図７に示すようなエジェクタ式冷凍サイクルが開示されている。
【０００３】
この種のエジェクタ式冷凍サイクルに適用されるエジェクタ１５では、エジェクタ１５のノズル部１５ａにて冷媒を減圧膨張させて冷媒噴射口１５ｃから噴射し、この噴射冷媒の圧力低下によって、冷媒吸引口１５ｄから蒸発器２０下流側の冷媒を吸引することで、減圧膨張時の運動エネルギーの損失を回収している。
【０００４】
さらに、エジェクタ１５のディフューザ部１５ｆにて、回収したエネルギー（以下、回収エネルギーという。）を圧力エネルギーに変換して、圧縮機１１吸入冷媒圧力を上昇させることで、圧縮機１１駆動動力を低減させてサイクル効率（ＣＯＰ）の向上を図っている。
【特許文献１】特許第３３２２２６３号公報
【発明の開示】
【発明が解決しようとする課題】
【０００５】
ところで、特許文献１のエジェクタ式冷凍サイクルを作動させる際、サイクル内を循環する循環冷媒流量（圧縮機１１吐出流量）を低流量に減らすと、サイクル効率が低下していく。
【０００６】
これは、循環冷媒流量が低流量になると、ノズル部１５ａに流入する冷媒流量も低下するために、ノズル部冷媒流量（Ｇｎｏｚ）×ノズル部出入口間エンタルピ差（ΔＨｎｏｚ）で表される減圧膨張時の運動エネルギーが低下するからである。そして、減圧膨張時の運動エネルギーが低下すると、回収エネルギーの絶対量も低下し、圧縮機吸入圧力低下あるいは吸引冷媒流量の低下が生じ、冷凍能力低下および圧縮機省動力効果の低下を引き起こすからである。
【０００７】
ところが、実際に特許文献１のエジェクタ式冷凍サイクルを作動させて、循環冷媒流量を所定流量から低流量へ減らした際のサイクル効率の低下度合は、上述の回収エネルギー低下に起因するサイクル効率の低下度合よりも、大きくなってしまう。
【０００８】
そこで、本発明者らがその原因について調査したところ、循環冷媒流量が低流量になると、圧縮機１１を潤滑するために冷媒中に混入された冷凍機油が蒸発器２０内に滞留してしまうことが原因であると判明した。
【０００９】
その理由は、循環冷媒流量の低下によって回収エネルギーが低下してしまうと、アキュムレータ２２から蒸発器２０内に流入した冷凍機油を吸引冷媒とともにエジェクタ１５内に吸引してサイクルを循環させることができなくなるからである。つまり、冷媒が蒸発器２０内で気化した後の高粘度の冷凍機油を蒸発器２０から吸引することができなくなり、冷凍機油が蒸発器２０内に滞留してしまう。
【００１０】
そして、冷凍機油が蒸発器２０内に滞留すると、冷凍機油が冷媒から吸熱してしまうために蒸発器２０の空気との熱交換能力を低下させる。また、冷凍機油が蒸発器２０の冷媒通路を塞いで半閉塞・閉塞状態となり、吸引冷媒の圧損増加や流れの間欠化に伴うサイクル安定性悪化を引き起こす。さらに、圧縮機１１への冷凍機油の戻り量が減少して圧縮機１１の潤滑不足を起こす原因にもなってしまう。
【００１１】
本発明は、上記点に鑑み、循環冷媒流量が低流量になっても充分なサイクル効率向上効果を得ることを目的とする。
【課題を解決するための手段】
【００１２】
上記の目的を達成するため、本発明では、冷媒を圧縮して吐出する圧縮機（１１）と、圧縮機（１１）から吐出された高圧冷媒を放熱させる放熱器（１２）と、放熱器（１２）出口側冷媒の流れを分岐する分岐部（Ｚ）と、分岐部（Ｚ）で分岐された一方の冷媒を減圧膨張させるノズル部（１５ａ）から噴射する高速度の冷媒流によって、冷媒を冷媒吸引口（１５ｄ）から吸引し、高速度の冷媒流と冷媒吸引口（１５ｄ）からの吸引冷媒とを混合してディフューザ部（１５ｆ）で昇圧させるエジェクタ（１５）と、分岐部（Ｚ）で分岐された他方の冷媒を減圧膨張させる絞り手段（１９）と、絞り手段（１９）下流側の低圧冷媒を蒸発させて、冷媒吸引口（１５ｄ）上流側に流出する蒸発器（２０）とを備え、圧縮機（１１）を潤滑する冷凍機油として、液相冷媒に対して溶解性を有するオイルが採用されているエジェクタ式冷凍サイクルを特徴とする。
【００１３】
これによれば、冷凍機油として液相冷媒に対して溶解性を有するオイルが採用されているので、放熱器（１２）下流側の液相冷媒に適正な濃度の冷凍機油を溶かし込むことができる。さらに、放熱器（１２）下流側に設けられた分岐部（Ｚ）で冷媒の流れを分岐して、分岐された冷媒を蒸発器（２０）へ流入させるので、循環冷媒流量に依存することなく、蒸発器（２０）へ流入する冷媒の冷凍機油の濃度を適正な値に維持できる。
【００１４】
しかも、分岐部（Ｚ）から蒸発器（２０）を介して冷媒吸引口（１５ｄ）へ至る冷媒流路をエジェクタ（１５）に対して並列的な接続関係にしているので、圧縮機（１１）の冷媒吸入、吐出能力を利用して蒸発器（２０）へ流入した冷媒を冷媒吸引口（１５ｄ）へ導出させることができる。従って、循環冷媒流量が低流量になって、エジェクタ（１５）の回収エネルギーが低下しても、上述したサイクル効率低下および機能低下を抑制できる。
【００１５】
また、特許文献１に記載のサイクル構成に対し、本件記載のサイクル構成は分岐部で気液分離する構造をとらないため、冷媒吸引口（１５ｄ）に接続される蒸発器（２０）内に流入する冷凍機油濃度が小さく、蒸発器（２０）内に冷凍機油が滞留してしまうことを抑制でき、充分なサイクル効率向上効果を得ることができる。なお、上記の冷凍機油の適正な濃度とは、蒸発器（２０）内に付着した冷凍機油が蒸発器（２０）における冷媒の吸熱作用を阻害しない範囲の濃度を意味している。
【００１６】
また、上記特徴のエジェクタ式冷凍サイクルにおいて、圧縮機は密閉式圧縮機（１１）であってもよい。
【００１７】
ここで、密閉式圧縮機（１１）とは、圧縮機の外殻を構成する密閉容器（１１ｃ）内に、流体（冷媒）を圧縮する圧縮機構部（１１ａ）、および、この圧縮機構部（１１ａ）を駆動させる駆動機構部（１１ｂ）を収容したものである。
【００１８】
さらに、後述する実施形態で説明するように、密閉型圧縮機（１１）では、密閉容器（１１ｃ）内部へ吸入された流体（冷媒）が、密閉容器（１１ｃ）内を通過して圧縮機構部（１１ａ）の圧縮室に流入する間に、圧縮機構部（１１ａ）、駆動機構部（１１ｂ）等から受熱して加熱されるようになっている。
【００１９】
ところで、エジェクタ式冷凍サイクルでは、ディフューザ部（１５ｆ）で冷媒を昇圧させて、圧縮機（１１）に吸入される冷媒の密度を上昇させている。そして、この冷媒の密度上昇によって、圧縮機（１１）の吐出流量を増加させることができるので、サイクル効率の向上を図ることができる。
【００２０】
そこで、本発明者らは、吸入冷媒の加熱の有無によって、圧縮機構部（１１ａ）の圧縮室へ流入する冷媒の密度がどのように変化するかについて調査した。図３は、その調査結果を示し、吸入冷媒の加熱有りの条件での冷媒密度の変化を実線でプロットし、吸入冷媒の加熱無しの条件での冷媒密度の変化を破線でプロットしている。
【００２１】
また、吸入冷媒圧力（Ｃ）はエジェクタ（１５）を有しないサイクルにおける圧縮機構部（１１ａ）の圧縮室へ流入する冷媒圧力を示し、吸入冷媒圧力（Ｄ）はエジェクタ（１５）を有するサイクル（具体的には、後述する一実施形態のサイクル）における圧縮機構部（１１ａ）の圧縮室へ流入する冷媒圧力を示している。従って、Ｄ−Ｃはディフューザ部（１５ｆ）の昇圧量を示している。
【００２２】
図３によれば、冷媒の加熱有り条件での冷媒密度の上昇量（Δρｈ）は、冷媒の加熱無し条件での冷媒密度の上昇量（Δρｎ）に対して、大きくなっていることが判る。このことは、吸入冷媒を加熱することによって、ディフューザ部（１５ｆ）の昇圧による吸入冷媒の密度上昇効果が、拡大されることを意味する。
【００２３】
さらに、本発明者らは、循環冷媒流量と冷媒密度の上昇率との関係について調査したところ、図４に示すように、循環冷媒流量が少なくなる程、冷媒密度の上昇率が増加することが判った。これは、循環冷媒流量が少なくなる程、吸入冷媒の温度が上昇しやすくなるからである。
【００２４】
なお、冷媒密度の上昇率とは、吸入冷媒が加熱されない場合のディフューザ部（１５ｆ）の昇圧による密度上昇量に対する、吸入冷媒が加熱される場合のディフューザ部（１５ｆ）の昇圧による密度上昇量の比である。
【００２５】
従って、密閉式圧縮機（１１）を採用することで、循環冷媒流量が低流量になっても、ディフューザ部（１５ｆ）の昇圧による吸入冷媒の密度上昇効果を拡大して、充分なサイクル効率向上効果を得ることができる。
【００２６】
また、上述の特徴のエジェクタ式冷凍サイクルにおいて、冷媒は、ＨＣ系冷媒であってもよい。
【００２７】
ここで、一般的に、冷凍サイクルの冷媒としてＨＣ系冷媒を採用すると、例えばフロン系冷媒を採用した場合に対して、同一条件時のサイクルバランスにおいて、その作動圧力を大幅に低下できることから、圧縮機の負荷低減によりサイクル効率を向上させやすいという利点がある。
【００２８】
その一方で、ＨＣ系冷媒（例えば、イソブタン）の液相冷媒の密度に対する気相冷媒の密度の気液密度比（気相冷媒の密度／液相冷媒の密度）は、例えば二酸化炭素の気液密度比と比較して極めて小さい。そのため、気相冷媒の流速と液相冷媒の流速にとの間に差が発生しやすい。
【００２９】
エジェクタ式冷凍サイクルにおいては、ノズルにて減圧膨張する際に液冷媒が沸騰（気化）するため、ノズル内で気化したガス冷媒流速と、気化せず流出する液冷媒流速の速度差が大きく生じてしまう。この損失によってノズル出口の運動エネルギーが低下し、回収エネルギー低下およびサイクル効率低下を引き起こし易い特徴がある。
【００３０】
そのため、特許文献１のエジェクタ式冷凍サイクルにＨＣ系冷媒を採用すると、サイクル効率も低下しやすい。
【００３１】
これに対して、上述の特徴のエジェクタ式冷凍サイクルでは、前述の如く、循環冷媒流量が低流量になっても圧縮機（１１）の冷媒吸入、吐出能力を利用でき、さらに、蒸発器（２０）内へ流入する冷凍機油の濃度を適正な濃度に維持できるので、ＨＣ系冷媒使用時においてもエジェクタ式冷凍サイクルのサイクル効率向上効果を充分に得ることができるとともに、上記したＨＣ系冷媒を採用することの効果を得ることができる。
【００３２】
さらに、圧縮機として密閉式圧縮機（１１）を採用すれば、可燃性のＨＣ系冷媒が外部に漏れることを防止できるので、エジェクタ式冷凍サイクルの安全性を向上させることもできる。
また、上述の特徴のエジェクタ式冷凍サイクルにおいて、ノズル部（１５ａ）は、冷媒を噴射する冷媒噴射口（１５ｃ）を有し、ノズル部（１５ａ）の外周には、冷媒吸引口（１５ｄ）から吸引された冷媒が通過する吸引冷媒通路（１５ｇ）が設けられており、吸引冷媒通路（１５ｇ）の冷媒通路面積（Ａｓｕｃ）は、冷媒噴射口（１５ｃ）の冷媒通路面積（Ａｎｏｚ）よりも大きくなっていてもよい。
【００３３】
ところで、特許文献１のサイクルでは、圧縮機（１１）吐出冷媒流量のうち全流量がエジェクタ（１５）のノズル部（１５ａ）を通過する。そして、このノズル部（１５ａ）を通過するノズル部冷媒流量（Ｇｎｏｚ）の増減に伴って、冷媒吸引口（１５ｄ）から吸引される吸引冷媒流量（Ｇｅ）も増減する。
【００３４】
さらに、エジェクタ（１５）の冷媒吸引力は、ノズル部冷媒流量（Ｇｎｏｚ）の圧力エネルギーおよび流体エネルギーに依存するので、吸引冷媒流量（Ｇｅ）は、ノズル部冷媒流量（Ｇｎｏｚ）よりも多くならない。すなわち、特許文献１のエジェクタ式冷凍サイクルでは、ノズル部冷媒流量（Ｇｎｏｚ）に対する吸引冷媒流量（Ｇｅ）の流量比（Ｇｅ／Ｇｎｏｚ）は、必ず１未満となる。
【００３５】
これに対して、上述の特徴のエジェクタ式冷凍サイクルでは、ノズル部（１５ａ）の上流側で冷媒の流れを分流し、さらに、圧縮機（１１）の冷媒吸入、吐出能力を利用して蒸発器（２０）へ流入した冷媒を冷媒吸引口（１５ｄ）へ導出させることができるので、吸引冷媒流量（Ｇｅ）を、ノズル部冷媒流量（Ｇｎｏｚ）よりも多くすることができる。
【００３６】
すなわち、上述の特徴のエジェクタ式冷凍サイクルでは、ノズル部冷媒流量（Ｇｎｏｚ）に対する吸引冷媒流量（Ｇｅ）の流量比（Ｇｅ／Ｇｎｏｚ）が１以上となった状態でサイクルを運転することができる。
【００３７】
そこで、本発明者らは、上述の特徴のエジェクタ式冷凍サイクルおよび特許文献１のサイクルにおける流量比（Ｇｅ／Ｇｎｏｚ）とサイクル効率との関係について調査した。具体的には、上述の特徴のエジェクタ式冷凍サイクルとして、後述する一実施形態のサイクルを用いている。
【００３８】
図５は、その調査結果であり、実施形態のサイクルのサイクル効率を実線でプロットし、特許文献１のサイクルのサイクル効率を破線でプロットしている。図５によれば、特許文献１のサイクルでは、１より僅かに小さい流量比（Ｇｅ／Ｇｎｏｚ）においてサイクル効率がピークＰ２となり、実施形態のサイクルでは、１より大きい流量比（Ｇｅ／Ｇｎｏｚ）においてサイクル効率がピークＰ１となることが判った。
【００３９】
従って、上記の如く、吸引冷媒通路（１５ｇ）の冷媒通路面積（Ａｓｕｃ）が、冷媒噴射口（１５ｃ）の冷媒通路面積（Ａｎｏｚ）よりも大きくなっていれば、流量比（Ｇｅ／Ｇｎｏｚ）を容易に１以上に設定することができ、循環冷媒流量が低流量になっても、充分なサイクル効率向上効果を得やすい。
【００４０】
さらに、本発明者らは、循環冷媒流量が低流量になっている場合に、一実施形態のサイクルにおいて、冷媒噴射口（１５ｃ）の冷媒通路面積（Ａｎｏｚ）に対する吸引冷媒通路（１５ｇ）の冷媒通路面積（Ａｓｕｃ）の面積比（Ａｓｕｃ／Ａｎｏｚ）とサイクル効率との関係を調査した。
【００４１】
図６は、その調査結果であり、図６によれば、面積比（Ａｓｕｃ／Ａｎｏｚ）が、３≦Ａｓｕｃ／Ａｎｏｚ≦１０になっている場合に所望のサイクル効率Ｅ以上の値を得られることが判った。
【００４２】
なお、このように流量比（Ｇｅ／Ｇｎｏｚ）に対して、面積比（Ａｓｕｃ／Ａｎｏｚ）が比較的大きな値となる理由は、冷媒吸引口（１５ｄ）から吸引される冷媒は、蒸発器（２０）にて吸熱した後の冷媒なので、ノズル部（１５ａ）に流入する冷媒に対して乾き度が高く、密度が小さくなるからである。
【００４３】
従って、面積比（Ａｓｕｃ／Ａｎｏｚ）を上記の範囲とすることで、より一層、循環冷媒流量が低流量になっても、充分なサイクル効率向上効果を得ることができる。
【００４４】
なお、この欄および特許請求の範囲で記載した各手段の括弧内の符号は、後述する実施形態に記載の具体的手段との対応関係を示すものである。
【発明を実施するための最良の形態】
【００４５】
図１〜６により、本発明の一実施形態について説明する。図１は本発明のエジェクタ式冷凍サイクル１０を業務用冷蔵庫に適用した例の全体構成図である。なお、一般的に、業務用冷蔵庫に適用されたエジェクタ式冷凍サイクルでは、車両用空調装置等に適用される場合に対して、通常運転時にサイクル内を循環する冷媒循環流量（圧縮機１１吐出流量）が低流量になる。
【００４６】
まず、本実施形態のエジェクタ式冷凍サイクル１０において、圧縮機１１は、冷媒を吸入、圧縮および吐出するもので、具体的には、流体を吸入圧縮する圧縮機構部１１ａと、この圧縮機構部１１ａを駆動する駆動機構部である電動モータ１１ｂと、圧縮機構部１１ａおよび電動モータ１１ｂを収容するケーシング１１ｃとを有して構成される電動式の密閉型圧縮機である。
【００４７】
圧縮機構部１１ａとしては、スクロール型圧縮機構、ローリングピストン型圧縮機構、ベーン型圧縮機等種々の型式を採用できる。また、電動モータ１１ｂとしては、ＡＣモータ、ＤＣモータ等いずれの型式を採用してもよい。さらに、電動モータ１１ｂは後述する空調制御装置２１から出力される制御信号によって回転数制御され、この回転数制御によって圧縮機１１の冷媒吐出能力が制御される。
【００４８】
ケーシング１１ｃは、所定の耐圧性を有する密閉容器で形成されており、密閉型圧縮機の外殻を構成するとともに、ケーシング１１ｃ内へ冷媒を吸入させる吸入口１１ｄと、ケーシング１１ｃから冷媒を吐出させる吐出口１１ｅとを有している。従って、冷媒は吸入口１１ｄまたは吐出口１１ｅを介することなく、ケーシング１１ｃの内外を出入りすることができない。
【００４９】
また、密閉型圧縮機では、吸入口１１ｄから吸入された冷媒が、ケーシング１１内を通過して圧縮機構部１１ａの圧縮室（図示せず）に流入する間に圧縮機構部１１ａ、電動モータ１１ｂ等を冷却するようになっている。つまり、密閉型圧縮機では、吸入口１１ｄから吸入された冷媒が、圧縮機構部１１ａ、駆動機構部１１ｂ等から受熱して加熱されるようになっている。
【００５０】
圧縮機１１の吐出口１１ｅには、放熱器１２が接続されている。放熱器１２は圧縮機１１から吐出された高圧冷媒と送風ファン１２ａによって送風された外気（車室外空気）との間で熱交換を行って高圧冷媒を冷却して放熱させる熱交換器である。送風ファン１２ａはモータ１２ｂによって駆動される電動ファンである。また、モータ１２ｂは後述する空調制御装置２１から出力される制御電圧によって回転駆動される。
【００５１】
なお、本実施形態のエジェクタ式冷凍サイクルでは、冷媒としてＨＣ系冷媒（具体的には、イソブタン）を採用しており、高圧冷媒が超臨界圧力以上に上昇しない亜臨界サイクルを構成している。従って、本実施形態の放熱器１２は冷媒を凝縮させる凝縮器として機能する。
【００５２】
さらに、本実施形態の冷媒には圧縮機１１を潤滑するための冷凍機油が混入されており、この冷凍機油として、液相状態の冷媒に対して溶解性を有するオイルを採用している。換言すると、冷凍機油として、液相冷媒に対して相容性を有するオイルを採用している。
【００５３】
また、液相冷媒に対する冷凍機油用濃度は、後述する第１、２蒸発器１６、２０内に流入した冷凍機油が第１、２蒸発器１６、２０における冷媒の吸熱作用を阻害しない範囲の濃度になっている。
【００５４】
放熱器１２の下流側には、冷媒の気液を分離して液相冷媒を溜める気液分離器であるレシーバ１３が接続されている。このレシーバ１３はタンク状の形状をしており、気相冷媒と液相冷媒の密度差によって気液を分離するものである。従って、レシーバ１３の鉛直方向下方側に液相冷媒が溜まる。そして、レシーバ１３の底部に設けられた液相冷媒出口から液相冷媒が下流側に導出される。
【００５５】
なお、本実施形態では、放熱器１２とレシーバ１３とを別体として構成しているが、放熱器１２とレシーバ１３とを一体に構成してもよい。さらに、放熱器１２として、冷媒を凝縮させる凝縮用熱交換部と、この凝縮用熱交換部からの冷媒を導入して冷媒の気液を分離するレシーバ部と、このレシーバ部からの飽和液相冷媒を過冷却する過冷却用熱交換部とを有する、いわゆるサブクールタイプの凝縮器を採用してもよい。
【００５６】
レシーバ１３の下流側には、冷媒の流れを分岐する分岐部Ｚが配置されている。そして、この分岐部Ｚにおいて分岐された一方の冷媒は、分岐部Ｚと後述するエジェクタ１５のノズル部１５ａ側とを接続するノズル部側配管１８ａへ流入し、他方の冷媒は、分岐部Ｚとエジェクタ１５の冷媒吸引口１６ｄ側とを接続する吸引口側配管１８ｂへ流入する。
【００５７】
ノズル部側配管１８ａには、可変絞り機構１４が設けられている。この可変絞り機構１４は、レシーバ１３からの高圧液相冷媒を気液二相状態の中間圧冷媒に減圧する機能を果たす。
【００５８】
本実施形態では、可変絞り機構１４として周知の温度式膨張弁を採用しており、後述する第１蒸発器１６出口側冷媒の過熱度に応じて弁体部（図示せず。）の開度を調整し、それにより、可変絞り機構１４を通過する冷媒流量を調整して第１蒸発器１６出口側冷媒の過熱度が所定の値に近づくようにしている。
【００５９】
具体的には、温度式膨張弁の弁体には圧力応動手段をなすダイヤフラム機構１４ａが結合され、ダイヤフラム機構１４ａは感温筒１４ｂの封入ガス媒体の圧力（第１蒸発器１６出口側冷媒の温度に応じた圧力）と、均圧管１４ｃにより導入される第１蒸発器１６出口側冷媒圧力とに応じて弁体を変位させ、弁体の開度を調整するようになっている。
【００６０】
可変絞り機構１４の出口側には、エジェクタ１５が接続されている。このエジェクタ１５は冷媒を減圧する減圧手段であるとともに、冷媒を減圧する減圧手段の機能を果たすとともに、高速で噴出する冷媒流の吸引作用によって冷媒の循環を行う冷媒循環手段としての機能を果たす。
【００６１】
ここで、図２により、エジェクタ１５の詳細について説明する。図２（ａ）はエジェクタ１５の軸方向断面図であり、（ｂ）は（ａ）のＢ−Ｂ断面図である。なお、Ｂ−Ｂ断面は、後述するノズル部１５ａの先端部における断面である。
【００６２】
本実施形態のエジェクタ１５は、ノズル部１５ａおよびボデー部１５ｂを有して構成されている。ノズル部１５ａは、ステンレス合金等の金属で形成されており、略円筒状で冷媒の流れ方向に向かって先細りの形状の先端部を有し、この形状に沿って冷媒通路面積を変化させ、冷媒を等エントロピ的に減圧膨張させるようになっている。
【００６３】
従って、ノズル部１５ａの先細り形状の先端部には、冷媒を噴射する冷媒噴射口１５ｃが形成される。なお、以下の説明では、この冷媒噴射口１５ｃの冷媒通路面積をＡｎｏｚとする。
【００６４】
また、ノズル部１５ａは、ボデー部１５ｂの内部に圧入等の方法で固定されており、圧入部（固定部）から冷媒が漏れないようになっている。もちろん、固定部から冷媒が漏れないようになっていれば、接着、溶接、圧接、はんだ付け等の接合手段で接合・固定してもよい。
【００６５】
ボデー部１５ｂは、アルミニウム等の金属で形成されており、図２（ａ）に示すように、略円筒状の形状になっており、内部にノズル部１５ａを支持・固定するとともに、混合部１５ｅ、ディフューザ部１５ｆが形成され、さらに、ボデー部１５ｂの内外を貫通する冷媒吸引口１５ｄが形成されている。もちろん、上記の機能を有すれば、金属以外の物質（具体的には樹脂等）で形成されていてもよい。
【００６６】
冷媒吸引口１５ｄは後述する第２蒸発器２０下流側冷媒をボデー部１５ｂ内部に吸引する吸引口であり、ノズル部１５ａの外周側に配置され、ノズル部１５ａの冷媒噴射口１５ｃと連通するように設けられている。従って、ノズル部１５ａの外周には、冷媒吸引口１５ｂから吸引された冷媒が通過する吸引冷媒通路１５ｇが形成される。
【００６７】
なお、以下の説明では、この吸引冷媒通路１５ｇの冷媒通路面積のうち最小値をＡｓｕｃとする。従って、ノズル部１５ａの冷媒通路面積をＡｎｏｚおよび吸引冷媒通路１５ｇの冷媒通路面積Ａｓｕｃは、図２（ｂ）のＢ−Ｂ断面図に示すように表される。
【００６８】
さらに、本実施形態では、ＡｓｕｃがＡｎｏｚよりも大きくなるように形成されており、具体的には、Ａｎｏｚに対するＡｓｕｃの面積比Ａｓｕｃ／Ａｎｏｚが、３≦Ａｓｕｃ／Ａｎｏｚ≦１０の範囲になるように形成されている。
【００６９】
混合部１５ｅは、ボデー部１５ｂの略中央の内部に形成され、冷媒噴射口１５ｃから噴射された高速度の噴射冷媒と複数の冷媒吸引口１５ｄから吸引された吸引冷媒とを混合する空間で、ノズル部１５ａおよび冷媒吸引口１５ｄの下流側に配置されている。
【００７０】
ディフューザ部１５ｆは、混合部１５ｅの下流側に配置されて冷媒流れを減速して冷媒圧力を上昇させる昇圧部である。ディフューザ部１５ｆは冷媒の通路面積を徐々に大きくする形状に形成されており、冷媒流れを減速して冷媒圧力を上昇させる機能、つまり、冷媒の速度エネルギーを圧力エネルギーに変換する機能を有する。
【００７１】
さらに、ディフューザ部１５ｆの下流側には、図１に示すように、第１蒸発器１６が接続される。第１蒸発器１６は、ディフューザ部１５ｆから流出した冷媒と送風ファン１６により送風された空気との間で熱交換を行って、冷媒を蒸発させて吸熱作用を発揮させる熱交換器である。
【００７２】
送風ファン１６ａはモータ１６ｂにより駆動される電動ファンであり、モータ１６ｂは後述する空調制御装置２１から出力される制御電圧によって回転駆動される。さらに、送風ファン１６ａは冷蔵庫内空気を吸入して送風するようになっており、送風空気は再び冷蔵庫内に吹き出される。
【００７３】
第１蒸発器１６の下流側は、内部熱交換器１７の低圧側冷媒通路１７ｂの入口側に接続され、低圧側冷媒通路１７ｂの出口側は圧縮機１１の吸入側に接続される。
【００７４】
次に、吸引口側配管１８ｂには、上述の内部熱交換器１７の高圧側冷媒通路１７ａが接続され、高圧側冷媒通路１７ａの下流側には、固定絞り１９が接続されている。
【００７５】
内部熱交換器１７は、高圧側冷媒通路１７ａを通過する高温高圧冷媒と低圧側冷媒通路１７ｂを通過する低温低圧冷媒との熱交換を行うものである。そして、内部熱交換器１７における冷媒相互間の熱交換によって、吸引口側配管１８ｂを通過する冷媒が冷却されるので、第１蒸発器１６および第２蒸発器２０における冷媒入口・出口間の冷媒のエンタルピ差（冷却能力）を増大させることができる。
【００７６】
固定絞り１９は、第２蒸発器２０への流入する冷媒の流量調整と減圧を行う絞り手段であって、具体的にはキャピラリチューブやオリフィスのような固定絞りで構成できる。そして、第２蒸発器２０は、冷媒を蒸発させて吸熱作用を発揮させる熱交換器である。
【００７７】
さらに、本実施形態では、フィンアンドチューブ構造の第１蒸発器１６と第２蒸発器２０を一体構造に組み付けている。具体的には、第1蒸発器１６と第２蒸発器２０のフィンを共通化し、フィンと接触するチューブ構成で分割するものである。もちろん、２つの別体蒸発器を風路方向（図１では、矢印Ａ方向）に直列に配置してもよい。
【００７８】
そのため、上述の送風ファン１６ａにて送風された空気は、矢印Ａのように流れ、まず、第１蒸発器１６にて冷却され、次に第２蒸発器２０にて冷却されるようになっている。すなわち、第１蒸発器１６と第２蒸発器２０にて同一の冷却対象空間を冷却するようになっている。
【００７９】
空調制御装置２１は、ＣＰＵ、ＲＯＭおよびＲＡＭ等を含む周知のマイクロコンピュータとその周辺回路から構成される。空調制御装置２１は、そのＲＯＭ内に記憶された制御プログラムに基づいて各種演算、処理を行って上記各種機器１１ｂ、１２ｂ、１６ｂ等の作動を制御する。
【００８０】
また、空調制御装置２１には、各種センサ群からの検出信号、および操作パネル（図示せず。）からの各種操作信号が入力される。センサ群として具体的には、外気温（車室外温度）を検出する外気センサ等が設けられる。また、操作パネルには業務用冷蔵庫の作動スイッチ、冷却対象空間である庫内温度を設定する温度設定スイッチ等が設けられている。
【００８１】
次に、上述のような構成で本実施形態の作動について説明する。操作パネルの作動スイッチが投入されると、空調制御装置２１の制御信号によって圧縮機１１の電動モータ１１ｂが作動し、圧縮機構部１１ａに駆動力が伝達されると、圧縮機１１が吸入口１１ｄから気相冷媒を吸入して、圧縮して吐出口１１ｅから吐出する。
【００８２】
なお、本実施形態では、圧縮機１１として、密閉式圧縮機を採用しているので、吸入口１１ｄから吸入された冷媒は、圧縮機構部１１ａの圧縮室に流入するまでに、加熱されて温度上昇する。
【００８３】
圧縮機１１から圧縮され吐出された高温高圧の気相冷媒は放熱器１２に流入する。放熱器１２では高温高圧の冷媒が外気により冷却されて凝縮する。放熱器１２から流出した放熱後の高圧冷媒は、レシーバ１３にて気相冷媒と液相冷媒に分離され、さらに、レシーバ１３から流出した液相冷媒は、分岐点Ｚにてノズル部側配管１８ａへ流入する冷媒流れと吸引口側配管１８ｂへ流入する冷媒流れとに分流される。
【００８４】
この際、本実施形態では、液相冷媒に対して溶解性を有する冷凍機油が採用されているので、分岐点Ｚにてノズル部側配管１８ａへ流入する液相冷媒の冷凍機油濃度と吸引口側配管１８ｂへ流入する液相冷媒の冷凍機油濃度は、ほぼ均一な値となる。
【００８５】
また、ノズル部側配管１８ａへ流入する冷媒流量（ノズル部冷媒流量）Ｇｎｏｚと吸引口側配管１８ｂへ流入する冷媒流量（吸引冷媒流量）Ｇｅとの流量比Ｇｅ／Ｇｎｏｚは、エジェクタ内の減圧部であるノズルと固定絞りの流量特性により決定し、エジェクタ１５の冷媒噴射口１５ｃの冷媒通路面積Ａｎｏｚに対する吸引冷媒通路１５ｇの冷媒通路面積Ａｓｕｃの面積比Ａｓｕｃ／Ａｎｏｚが調整されているため損失が少ない運転が可能になっている。
【００８６】
可変絞り機構１４に向かう冷媒流れは、可変絞り機構１４で減圧および流量調整されてエジェクタ１５へ流入する。ここで、可変絞り機構１４は、第１蒸発器１６出口側冷媒の過熱度が所定の値に近づくように、可変絞り機構１４の通過冷媒流量を調整する。
【００８７】
エジェクタ１５に流入した冷媒流れはノズル部１５ａでさらに減圧されて膨張する。そして、ノズル部１５ａで冷媒の圧力エネルギーが速度エネルギーに変換され、このノズル部１５ａの噴出口から冷媒は高速度となって噴出する。この際の冷媒吸引作用により、冷媒吸引口１５ｂから第２蒸発器２０通過後の冷媒を吸引する。
【００８８】
ノズル部１５ａから噴出した冷媒と冷媒吸引口１５ｂより吸引された冷媒は、ノズル部１５ａ下流側の混合部１５ｅで混合してディフューザ部１５ｆに流入する。このディフューザ部１５ｆでは通路面積の拡大により、冷媒の速度（膨張）エネルギーが圧力エネルギーに変換されるため、冷媒の圧力が上昇する。
【００８９】
そして、エジェクタ１５のディフューザ部１５ｆから流出した冷媒は第１蒸発器１６に流入する。第１蒸発器１６では、低温の低圧冷媒が送風ファン１６ａの送風空気から吸熱して蒸発する。これにより、送風ファン１６ａの送風空気が冷却される。
【００９０】
第１蒸発器１６通過後の気相冷媒は内部熱交換器１７の低圧側冷媒通路１７ｂへ流入し、分岐点Ｚから吸引口側配管１８ｂを介して内部熱交換器１７の高圧側冷媒通路１７ａへ流入した高温高圧冷媒と熱交換を行う。そして、低圧側冷媒通路１７ｂから流出した気相冷媒は、圧縮機１１に吸入され再び圧縮される
一方、吸引口側配管１８ｂに流入した冷媒流れは、内部熱交換器１７にて、前述の如く、第１蒸発器１６から流出した低温低圧の気相冷媒と熱交換を行って冷却され、さらに、固定絞り１９で減圧されて低圧冷媒となり、この低圧冷媒が第２蒸発器２０に流入する。
【００９１】
第２蒸発器２０では、流入した低圧冷媒が第１蒸発器１６で冷却された送風空気から吸熱して蒸発する。これにより、送風ファン１６ａの送風空気がさらに冷却される。そして、第２蒸発器２０通過後の冷媒は冷媒吸引口１５ｂからエジェクタ１５内へ吸引されて、混合部１５ｅでノズル部１５ａを通過した液相冷媒と混合して第１蒸発器１６に流入していく。
【００９２】
以上の如く、本実施形態のエジェクタ式冷凍サイクルでは、エジェクタ１５のディフューザ部１５ｆの下流側冷媒を第１蒸発器１６に供給するとともに、吸引口側配管１８ｂ側の冷媒を固定絞り１９を介して第２蒸発器２０にも供給できるので、第１蒸発器１６および第２蒸発器２０で同時に冷却作用を発揮できる。
【００９３】
さらに、送風ファン１６ａから送風された空気を第１蒸発器１６→第２蒸発器２０の順に通過させて同一の冷却対象空間（冷蔵庫内）を冷却できる。その際に、第１蒸発器１６の冷媒蒸発圧力をディフューザ部１５ｆで昇圧した後の圧力として、一方、第２蒸発器２０は冷媒吸引口１６ｂに接続されるので、第２蒸発器２０の冷媒蒸発圧力をノズル部１５ａ減圧直後の最も低い圧力とすることができる。
【００９４】
従って、第１蒸発器１６の冷媒蒸発圧力（冷媒蒸発温度）よりも第２蒸発器２０の冷媒蒸発圧力（冷媒蒸発温度）を低くすることができる。その結果、第１蒸発器１６および第２蒸発器２０の冷媒蒸発温度と送風空気との温度差を確保して、効率的に送風空気を冷却できる。
【００９５】
また、第１蒸発器１６下流側を圧縮機１１吸入側に接続しているので、ディフューザ部１５ｆで昇圧された冷媒を圧縮機１１に吸入させることができる。その結果、圧縮機１１の吸入圧を上昇させることができるので、圧縮機１１の駆動動力を低減することができる。
【００９６】
さらに、内部熱交換器１７の作用によって、第１、２蒸発器１６、２０における冷媒入口・出口間の冷媒のエンタルピ差を拡大できるので、サイクルの冷凍能力を増大できる。その結果、サイクル効率を向上させることができる。
【００９７】
さらに、本実施形態のエジェクタ式冷凍サイクル１０は、業務用冷蔵庫に適用されているので、冷媒循環流量（圧縮機１１吐出流量）が低流量になってしまうが、冷凍機油として液相冷媒に対して溶解性を有するオイルが採用されているので、放熱器１２下流側のレシーバ１３内の液相冷媒に適正な濃度の冷凍機油を溶かし込むことができる。
【００９８】
そして、レシーバ１３下流側に設けられた分岐部Ｚで冷媒の流れを分岐して、第２蒸発器２０へ流入させるので、循環冷媒流量に依存することなく、蒸発器２０へ流入する冷媒の冷凍機油の濃度を適正な値に維持できる。
【００９９】
しかも、分岐部Ｚから第２蒸発器２０を介して冷媒吸引口１５へ至る冷媒流路をエジェクタ１５に対して並列的な接続関係にしているので、圧縮機１１の冷媒吸入、吐出能力を利用して第２蒸発器２０へ流入した冷媒を冷媒吸引口１５ｄへ導出させることができる。
【０１００】
従って、循環冷媒流量が低流量になって、エジェクタ１５の冷媒吸引能力が低下しても、吸引冷媒流量が低下することを抑制できる。その結果、循環冷媒流量が低流量になっても、エジェクタ１５の冷媒吸引口１５ｄに接続される第２蒸発器２０に冷凍機油が滞留してしまうことを抑制できるので、エジェクタを採用したことによる充分なサイクル効率向上効果を得ることができる。
【０１０１】
また、圧縮機１１として、密閉式圧縮機を採用しているので、前述の図３、４で説明したように、圧縮機１１に吸入された低流量の冷媒が加熱されることで、冷媒が加熱されない場合に対して、ディフューザ部１５ｆの昇圧による吸入冷媒の密度上昇効果が拡大される。その結果、循環冷媒流量が低流量になっても充分なサイクル効率向上効果を得ることができる。
【０１０２】
また、冷媒として、ＨＣ系冷媒（具体的には、イソブタン）を採用しているので、フロン系冷媒を採用した場合に対して、冷媒充填量を少なくすることができる。さらに、フロン系冷媒を採用した場合に対して、サイクルの高圧側圧力を下げることができるので、サイクル効率を向上させることができる。
【０１０３】
しかも、本実施形態のエジェクタ式冷凍サイクル１０では、循環冷媒流量が低流量になっても、上記の如く、エジェクタ１５の冷媒吸引口１４ｄに接続される２蒸発器２０内に冷凍機油が滞留しないので、気液密度比が極めて小さいＨＣ系冷媒を採用しても、気相冷媒の流速と液相冷媒の流速と差が拡大されにくい。
【０１０４】
従って、循環冷媒流量が低流量になっても、充分なサイクル効率向上効果を得ることができるとともに、上記したＨＣ系冷媒を採用することの効果を得ることができる。さらに、圧縮機１１として密閉式圧縮機を採用しているので、可燃性のＨＣ系冷媒が外部に漏れることを防止できるので、エジェクタ式冷凍サイクルの安全性を向上させることもできる。
【０１０５】
さらに、面積比Ａｓｕｃ／Ａｎｏｚが、３≦Ａｓｕｃ／Ａｎｏｚ≦１０となるように形成しているので、前述の図５、６で説明したように、循環冷媒流量が低流量になっても、流量比Ｇｅ／Ｇｎｏｚに対して流れを阻害しない値とすることができ、充分なサイクル効率向上効果を得ることができる。
【０１０６】
（他の実施形態）
本発明は上述の実施形態に限定されることなく、以下のように種々変形可能である。
【０１０７】
（１）上述の実施形態では、図１に示すサイクル構成のエジェクタ式冷凍サイクルについて説明したが、本発明が適用できるサイクル構成は図１に示す例に限定されない。
【０１０８】
例えば、上述の実施形態では、レシーバ１４から流出した液相冷媒の流れを分岐部Ｚにて分流しているが、レシーバ１４を廃止して放熱器１２出口側冷媒の流れを直接分岐部Ｚにて分流してもよい。この場合は、気相冷媒と液相冷媒の双方が分岐部Ｚにて分流されることになるが、液相状態の冷媒には冷凍機油が溶け込んでいるので、上述の実施形態と全く同様の効果を得ることができる。
【０１０９】
また、上述の実施形態では、温度式膨張弁１４を分岐部Ｚとエジェクタ１５のノズル部１５ａとの間に配置しているが、レシーバ１４と分岐部Ｚとの間に配置してもよい。また、分岐部Ｚと第２蒸発器２０との間に配置してもよい。
【０１１０】
また、本実施形態では、第１、２蒸発器１６、２０において冷媒が吸熱作用を発揮できるようなサイクル構成になっているが、第１蒸発器１６を廃止してもよい。
【０１１１】
（２）上述の実施形態では、本発明のエジェクタ式冷凍サイクルを業務用冷蔵庫に適用した例を説明したが、本発明の適用はこれに限定されない。例えば、業務用冷蔵庫と同様に、通常運転時にサイクル内を循環する冷媒循環流量が低流量になる家庭用冷蔵庫、自動販売機用冷却装置、冷蔵機能付きショーケース等に適用してもよい。
【０１１２】
もちろん、冷媒循環流量が変動しうる車両用空調装置等に適用してもよい。この場合は、サイクルが低流量で運転される運転条件において、上述の効果を発揮できる。
【０１１３】
（３）上述の実施形態では、第１、２蒸発器１６、２０によって同一の空調対象空間（冷蔵庫内）を冷却しているが、第１、２蒸発器１６、２０によって異なる空調対象空間を冷却するようにしてもよい。例えば、第１蒸発器１６に対して、冷媒蒸発圧力（冷媒蒸発温度）が低い第２蒸発器２０を冷凍庫内用に適用し、第１蒸発器１６を冷蔵庫内用に適用してもよい。
【０１１４】
（４）上述の実施形態では、冷媒としてＨＣ系冷媒を採用しているが、冷媒はこれに限定されない。例えば、フロン系冷媒、二酸化炭素等を採用してもよい。
【０１１５】
（５）上述の実施形態では、絞り手段として、キャピラリチューブやオリフィスで構成された固定絞り１９を採用しているが、電気的、機械的に冷媒通路面積を変更できる可変絞り機構を採用してもよい。また、絞り手段を固定絞り機構と可変絞り機構とのとの組み合わせで構成してもよい。
【０１１６】
（６）上述の実施形態では、エジェクタ１５として、冷媒通路面積Ａｎｏｚが一定のノズル部１５ａを有する固定エジェクタを例示しているが、エジェクタ１５として、冷媒通路面積Ａｎｏｚを調整可能な可変ノズル部を有する可変エジェクタを用いてもよい。
【０１１７】
この可変ノズル部の具体例としては、可変ノズル部の通路内にニードルを挿入し、このニードルの位置を電気的アクチュエータにより制御して冷媒通路面積Ａｎｏｚを調整する機構とすればよい。
【０１１８】
さらに、可変ノズル部の冷媒通路面積Ａｎｏｚの調整範囲が、３≦Ａｓｕｃ／Ａｎｏｚ≦１０の範囲となるように調整すれば、上述の実施形態と同様の効果を得ることができる。
【０１１９】
（７）上述の実施形態では、放熱器１２を冷媒と外気とを熱交換させる室外側熱交換器とし、第１、２蒸発器１５、１８を室内側熱交換器として車室内および冷蔵庫内の冷却用に適用しているが、逆に、第１、２蒸発器１５、１８を外気等の熱源から吸熱する室外側熱交換器として構成し、放熱器１２を空気あるいは水等の被加熱流体を加熱する室内側熱交換器として構成するヒートポンプサイクルに本発明を適用してもよい。
【図面の簡単な説明】
【０１２０】
【図１】一実施形態のエジェクタ式冷凍サイクルの全体構成図である。
【図２】（ａ）は一実施形態のエジェクタの軸方向断面図であり、（ｂ）は（ａ）のＢ−Ｂ断面図である。
【図３】吸入冷媒圧力と冷媒密度の関係を示すグラフである。
【図４】循環冷媒流量と冷媒密度上昇率の関係を示すグラフである。
【図５】流量比とサイクル効率の関係を示すグラフである。
【図６】面積比とサイクル効率の関係を示すグラフである。
【図７】従来技術のエジェクタ式冷凍サイクルの全体構成図である。
【符号の説明】
【０１２１】
１１…圧縮機、１２…放熱器、１５…エジェクタ、１５ａ…ノズル部、
１５ｃ…冷媒噴射口、１５ｄ…冷媒吸引口、１５ｆ…ディフューザ部、
１５ｇ…吸引冷媒通路、１９…固定絞り。
【図１】
2008075926.tif 000003
【図２】
2008075926.tif 000004
【図３】
2008075926.tif 000005
【図４】
2008075926.tif 000006
【図５】
2008075926.tif 000007
【図６】
2008075926.tif 000008
【図７】
2008075926.tif 000009